(57)【要約】【課題】  取り付けが容易であって、かつ、取り付け後にも釘の頭が表面に露出しない外装金物を提供する。【解決手段】  構造物２の一方の壁面３と他方の壁面４との間の角部５に取り付けられ、上記一方の壁面３を被覆する一方の平面用外装金物の端部が挿入される一方の挿入部６及び／又は上記他方の壁面４を被覆する他方の平面用外装金物の端部が挿入される他方の挿入部７を備える角部用外装金物１であって、上記一方及び／又は他方の挿入部６，７は、構造物２の一方及び／又は他方の壁面３，４に平行に取り付けられる固定板部８，１１と、一端が該固定板部８，１１の構造物２の角部５側の一端から連続して起立してなる起立板部９，１２と、一端が該起立板部９，１２の他端と連続して前記固定板部８，１１と平行とされてなり、前記固定板部８，１１の他端側方向に向けて形成された折返板部１０，１３と、を備えてなる。【選択図】  図１
2005060993.tif 000002
【特許請求の範囲】
【請求項１】
構造物の一方の壁面と他方の壁面との間の角部に取り付けられ、上記一方の壁面を被覆する一方の平面用外装金物の端部が挿入される一方の挿入部及び／又は上記他方の壁面を被覆する他方の平面用外装金物の端部が挿入される他方の挿入部を備える角部用外装金物であって、
上記一方及び／又は他方の挿入部は、構造物の一方及び／又は他方の壁面に平行に取り付けられる固定板部と、一端が該固定板部の構造物の角部側の一端から連続して起立してなる起立板部と、一端が該起立板部の他端と連続して前記固定板部と平行とされてなり、前記固定板部の他端側方向に向けて形成された折返板部と、を備えてなることを特徴とする角部用外装金物。
【請求項２】
上記固定板部と折返板部とが一方及び／又は他方の平面用外装金物の端部の板厚とほぼ同じ長さで離隔してなり、また、起立板部は固定板部上に位置するように傾斜して起立することを特徴とする請求項１記載の角部用外装金物。
【発明の詳細な説明】
【技術分野】
【０００１】
本発明は、家屋や倉庫等の構造物の壁面を被覆する外装金物に関するものである。
【背景技術】
【０００２】
従来より、家屋や倉庫等の構造物の壁面及びこれら壁面が交わる角部の上には、板状の金属板を折曲してなるものであって、役物等とも称されている外装金物が取り付けられており、構造物の壁面及び角部はこの外装金物によって被覆され、保護がされている。これらの外装金物の内、特に壁面を保護する板状の平面用外装金物は、構造物の天地方向に掛けられる曲げ荷重に対抗するために、構造物の壁面に対して平行とされる水平面と、構造物の壁面に対して垂直とされる垂直面とが交互に形成されてコの字状の断面を有するものとされている。この外装金物の構造物の壁面への取り付けは、多くの場合は釘による打ち付けによりされている。すなわち、この外装金物を取り付ける作業者は、壁面の形状，大きさに合わせてこの外装金物の形状を加工し、構造物にこの外装金物を当てがい、この外装金物の上から外装金物を穿孔しつつ、或いは、この外装金物にドリル等で予め釘穴を穿孔した上で、釘を打ち付け、外装金物を固定する。
【発明の開示】
【発明が解決しようとする課題】
【０００３】
しかしながら、この外装金物は上述の通り釘を用いて取り付けられることから、この釘の頭が外装金物の上に露出し、完成した構造物の見栄えが悪いものとなる。また、この外装金物の取り付けの釘を打つ作業は手間がかかるものであり、釘を打ち付ける手間を省いて取り付けができる外装金物が求められていた。
【０００４】
そこで、本発明は、上述した従来の外装金物が有する課題を解決するために提案されたものであって、取り付けが容易であって、かつ、取り付け後にも釘の頭が表面に露出しない角部用外装金物を提供することを目的とする。
【課題を解決するための手段】
【０００５】
上述の課題を解決するために提案されたものであり、第１の発明（請求項１記載の発明）に係る角部用外装金物は、構造物の一方の壁面と他方の壁面との間の角部に取り付けられ、上記一方の壁面を被覆する一方の平面用外装金物の端部が挿入される一方の挿入部及び／又は上記他方の壁面を被覆する他方の平面用外装金物の端部が挿入される他方の挿入部を備える角部用外装金物であって、上記一方及び／又は他方の挿入部は、構造物の一方及び／又は他方の壁面に平行に取り付けられる固定板部と、一端が該固定板部の構造物の角部側の一端から連続して起立してなる起立板部と、一端が該起立板部の他端と連続して前記固定板部と平行とされてなり、前記固定板部の他端側方向に向けて形成された折返板部と、を備えてなることを特徴とするものである。
【０００６】
そして、第２の発明（請求項２記載の発明）に係る角部用外装金物は、前記第１の発明において、上記固定板部と折返板部とが一方及び／又は他方の平面用外装金物の端部の板厚とほぼ同じ長さで離隔してなり、また、起立板部は固定板部上に位置するように傾斜して起立することを特徴とするものである。
【発明の効果】
【０００７】
この第１の発明の角部用外装金物によれば、平面用外装金物は、端部をこの角部用外装金物の挿入部内に挿入するだけで容易に構造物の壁面に取り付けができる。また、構造物の壁面への平面用外装金物の取り付けの際に釘を用いないことから、釘の頭が外装金物上に露出する事がなく、本発明の外装金物に被覆された構造物の見栄えも良い物となる。
【０００８】
また、この第２の発明の角部用外装金物によれば、この角部用外装金物に取り付けられる平面用外装金物の端部が板状である場合、この板状である端部を角部用外装金物の挿入部内に挿入すると、この平面用外装金物はこの角部用外装金物の挿入部の固定板部と折返板部との間に挟持されるばかりではなく、固定板部上に位置するように傾斜してなる起立板部と固定板部との間に平面用外装金物の端部が位置し、この平面用外装金物の端部が起立板部と固定板部との間の弾性力により挟持されることから、この角部用外装金物への平面用外装金物の取り付けはより確実なものとなる。
【発明を実施するための最良の形態】
【０００９】
以下、本発明の実施の形態に係る外装金物を、図面を参照しながら説明する。なお、本発明の外装金物は、壁面の表面を被覆するものであるが、この壁面の表面は構造物の屋内側又は屋外側の何れかの表面に限定されるものではない。特に、本発明の角部用外装金物は、構造物の壁面同士が交わる角部の凸部となる外側（いわゆる出隅）か、或いは、角部の凹部となる内側（いわゆる入隅）の何れに用いられるものとして限定されるものではない。
【実施例１】
【００１０】
この発明の第１の実施の形態に係る角部用外装金物１は、図１に示すように、図中に二点鎖線で示す構造物２の一方の壁面３と他方の壁面４とからなる角部５近傍の外側（いわゆる出隅）に取り付けられて用いられるものであって、この角部用外装金物１は他の平面用外装金物の端部が挿入される一方の挿入部６及び他方の挿入部７を備えている。この一方の挿入部６は、この構造物２の一方の壁面３上に平行に取り付けられる一方の固定板部８と、一端がこの一方の固定板部８の角部５側の一端と連続して鉛直に起立する一方の起立板部９と、一方の起立板部９の他端と一端が連続し、他端がこの構造物２の角部５とは反対方向に向けて形成され、上記一方の固定板部８と平行とされてなる一方の折返板部１０とから構成されている。また、他方の挿入部７は、この構造物２の他方の壁面４上に平行に取り付けられる他方の固定板部１１と、一端がこの他方の固定板部１１の角部５側の一端と連続して該他方の固定板部１１上に向けて傾斜して起立する他方の起立板部１２と、他方の起立板部１２の他端と一端が連続し、他端がこの構造物２の角部５とは反対方向に向けて形成され、上記他方の固定板部１１と平行とされてなる他方の折返板部１３とから構成されている。
【００１１】
また、上記一方の挿入部６を構成する一方の折返板部１０の他端からは、第１の外装板部１４、第２の外装板部１５、第３の外装板部１６及び第４の外装板部１７を介して上記他方の挿入部７を構成する他方の折返板部１３と連続している。すなわち、この第１の外装板部１４は、一端において上記一方の折返板部１０の他端にて上記の構造物２の角部５側の方向に上記構造物の一方の壁面３、一方の固定板部８及び一方の折返板部１０と平行となるように１８０度折り返されている。また、この第１の外装板部１４の他端では、上記角部５側に向けて４５度折曲されて第２の外装板部１５の一端と連続している。また、この第２の外装板部１５の他端では、上記角部５側に向けて４５度折曲されて、上記構造物の他方の壁面４、他方の固定板部１１及び他方の折返板部１３と平行とされた第３の外装板部１６の一端と連続している。そして、この第３の外装板部１６の他端では、上記構造物２の他方の壁面４及び他方の固定板部１１に向けて９０度折曲されてこれら他方の壁面４及び他方の固定板部１１と鉛直となり、上記他方の折返板部１３の他端と直交して連続している。
【００１２】
なお、この角部用外装金物１は、一枚の金属板を折曲して作られたものであるが、これを複数の金属板を折曲及び溶接等で継ぎ合わせて形成してもよい。また、上記の一方の固定板部８と一方の折返板部１０との間隔、及び、この他方の固定板部１１と他方の折返板部１３との間隔は、後述する平面用外装金物の端部の形状に合わせて定められるものであり、この角部用外装金物１の挿入部６，７内に平面用外装金物の垂直面が位置するような場合には、この角部用外装金物１の一方の挿入部６のように、起立部９の長さをこの平面用外装金物の垂直面の長さより僅かに長いものとする。また、角部用外装金物の挿入部内に後述する平面用外装金物の水平面のみが挿入される場合には、この角部用外装金物１の他方の挿入部７のように、他方の起立部１２の長さを短いものとし、かつ、該他方の起立部１２を他方の固定板部１１上に位置するように傾斜させ、他方の固定板部１１と他方の折返板部１３との距離を挿入する平面用外装金物の水平部の板厚とほぼ同じものとする。なお、ここで示した実施の形態に係る角部用外装金物１は、構造物２の壁面３，４が直角となるものであり、これに伴い固定板部８，１１が互いに直交するものとしたが、この角部用外装金物１の固定板部８，１１が直交するものとして限定されるものではない。すなわち、構造物が角部において直角以外の角度をなすものである場合には、その角度に合わせて固定板部８，１１のなす角度を適宜変えてもよい。
【００１３】
また、上記の図１に示す角部用外装金物１は、一方の挿入部６が、この挿入部内に平面用外装金物の垂直面が位置するような場合であって、かつ、他方の挿入部７内に平面用外装金物の水平面のみが挿入される場合に使われるものであるが、このような角部用外装金物の二つの挿入部の双方に平面用外装金物の水平面のみが挿入される場合には、図２に示す本発明の第２の実施の形態に係る角部用外装金物２１を用いる。この角部用外装金物２１は、図中には線で示す構造物２２の一方の壁面２３と他方の壁面２４とからなる角部２５近傍の外側（いわゆる出隅）に取り付けられて用いられるものであって、この角部用外装金物２１は他の平面用外装金物の端部が挿入される一方の挿入部２６及び他方の挿入部２７を備えている。この一方の挿入部２６及び他方の挿入部２７は、上記の角部用外装金物１の他方の挿入部７と同じ構成からなるものであって、この構造物２２の一方及び他方の壁面２３，２４上に平行に取り付けられる一方及び他方の固定板部２８，３１と、一端がこの一方及び他方の固定板部２８，３１の角部２５側の一端と連続して該一方及び他方の固定板部２８，３１上に向けて傾斜して起立する一方及び他方の起立板部２９，３２と、一方及び他方の起立板部２９，３２の他端と一端が連続し、他端がこの構造物２２の角部２５とは反対方向に向けて形成され、上記一方及び他方の固定板部２８，３１と平行とされてなる一方及び他方の折返板部３０，３３とから構成されている。
【００１４】
また、上記一方の挿入部２６を構成する一方の折返板部３０の他端からは、第１の外装板部３４、第２の外装板部３５、第３の外装板部３６、第４の外装板部３７及び第５の外装板部３８を介して上記他方の挿入部２７を構成する他方の折返板部３３と連続している。すなわち、この第１の外装板部３４は、一端において上記一方の折返板部３０の他端にて９０度折曲されて上記の構造物２２の一方の壁面２３及び一方の固定板部２８と鉛直とされている。また、この第１の外装板部３４の他端は、第２の外装板部３５の一端と連続し、該第２の外装板部３５が角部２５側の方向に上記構造物の一方の壁面２３、一方の固定板部２８及び一方の折返板部３０と平行となるように９０度折曲されている。また、この第２の外装板部３５の他端では、上記角部２５側に向けて４５度折曲されて第３の外装板部３６の一端と連続している。また、この第３の外装板部３６の他端では、上記角部２５側に向けて４５度折曲されて、上記構造物２２の他方の壁面２４、他方の固定板部３１及び他方の折返板部３３と平行とされた第４の外装板部３７の一端と連続している。そして、この第４の外装板部３７の他端では、上記構造物２２の他方の壁面２４及び他方の固定板部３１に向けて９０度折曲されてこれら他方の壁面２４及び他方の固定板部３１と鉛直となり、上記他方の折返板部３３の他端と直交して連続している。
【００１５】
なお、この角部用外装金物２１も上記の角部用外装金物１と同様に、一枚の金属板を折曲して作られたものであるが、これを複数の金属板を折曲及び溶接等で継ぎ合わせて形成してもよい。また、上記の一方の固定板部２８と一方の折返板部３０との間隔、及び、この他方の固定板部３１と他方の折返板部３３との間隔は、後述する平面用外装金物の端部の形状に合わせて定められるものであり、この角部用外装金物２１の挿入部２６，２７内に後述する平面用外装金物の水平面のみが挿入される場合には、この角部用外装金物２の一方及び他方の挿入部２６，２７のように、他方の起立部２９，３２の長さを短いものとし、かつ、該他方の起立部２９，３２を一方及び他方の固定板部２８，３１上に位置するように傾斜させ、一方及び他方の固定板部２８，３１と一方及び他方の折返板部３０，３３との距離を挿入する平面用外装金物の水平部の板厚とほぼ同じものとする。なお、ここで示した実施の形態に係る角部用外装金物２１は、構造物２２の壁面２３，２４が直角となるものであり、これに伴い固定板部２８，３１が互いに直交するものとしたが、この角部用外装金物１の固定板部２８，３１が直交するものとして限定されるものではない。すなわち、構造物が角部において直角以外の角度をなすものである場合には、その角度に合わせて固定板部２８，３１のなす角度を適宜変えてもよい。
【００１６】
また、上記の図１及び図２に示す角部用外装金物１、２１は、上述した通り共に構造物２，２２の角部の外側（上述したいわゆる出隅）に取り付けられるものであるが、本発明に係る角部用外装金物はこのようなものに限られない。すなわち、本発明に係る角部用外装金物は、図３及び図４に示すように、構造物の角部の内側（上述したいわゆる入隅）に用いられるものであってもよい。この図３に示す本発明の第３の実施の形態に係る角部用外装金物４１は、図中に二点鎖線で示す構造物４２の一方の壁面４３と他方の壁面４４とからなる角部４５近傍の内側（入隅）に取り付けられて用いられるものであって、この角部用外装金物４１は他の平面用外装金物の端部が挿入される一方の挿入部４６及び他方の挿入部４７を備えている。この一方の挿入部４６及び他方の挿入部４７も、上記の角部用外装金物１の一方の挿入部６及び他方の挿入部７と同じ構成からなるものであって、この構造物４２の一方及び他方の壁面４３，４４上に平行に取り付けられる一方及び他方の固定板部４８，５１と、一端がこの一方及び他方の固定板部４８，５１の角部５側の一端と連続して起立する一方及び他方の起立板部４９，５２と、一方及び他方の起立板部４９，５２の他端と一端が連続し、他端がこの構造物４２の角部４５とは反対方向に向けて形成され、上記一方及び他方の固定板部４８，５１と平行とされてなる一方及び他方の折返板部５０，５３とから構成されている。
【００１７】
また、上記一方の挿入部４６を構成する一方の折返板部５０の他端からは、第１の外装板部５４、第２の外装板部５５、第３の外装板部５６及び第４の外装板部５７を介して上記他方の挿入部４７を構成する他方の折返板部５３と連続している。すなわち、この第１の外装板部５４は、一端において上記一方の折返板部５０の他端にて上記の構造物４２の角部４５側の方向に上記構造物の一方の壁面４３、一方の固定板部４８及び一方の折返板部５０と平行となるように１８０度折り返されている。また、この第１の外装板部５４の他端では、上記角部４５側から離れる向きに４５度折曲されて第２の外装板部５５の一端と連続している。また、この第２の外装板部５５の他端では、上記角部４５側から離れる向きに４５度折曲されて、上記構造物の他方の壁面４４、他方の固定板部５１及び他方の折返板部５３と平行とされた第３の外装板部５６の一端と連続している。そして、この第３の外装板部５６の他端では、上記構造物４２の他方の壁面４４及び他方の固定板部５１に向けて９０度折曲されてこれら他方の壁面４４及び他方の固定板部５１と鉛直となり、上記他方の折返板部５３の他端と直交して連続している。
【００１８】
なお、この角部用外装金物４１は、一枚の金属板を折曲して作られたものであるが、上記の角部用外装金物１、２１と同様に、これを複数の金属板を折曲及び溶接等で継ぎ合わせて形成してもよい。また、上記の一方の固定板部４８と一方の折返板部５０との間隔、及び、この他方の固定板部５１と他方の折返板部５３との間隔は、後述する平面用外装金物の端部の形状に合わせて定められるものであり、この角部用外装金物４１の挿入部４６，４７内に平面用外装金物の垂直面が位置するような場合には、この角部用外装金物４１の一方の挿入部４６のように、起立部４９の長さをこの平面用外装金物の垂直面の長さより僅かに長いものとする。また、角部用外装金物の挿入部内に後述する平面用外装金物の水平面のみが挿入される場合には、この角部用外装金物４１の他方の挿入部４７のように、他方の起立部５２の長さを短いものとし、かつ、該他方の起立部５２を他方の固定板部５１上に位置するように傾斜させ、他方の固定板部５１と他方の折返板部５３との距離を挿入する平面用外装金物の水平部の板厚とほぼ同じものとする。なお、ここで示した実施の形態に係る角部用外装金物４１は、構造物４２の壁面４３，４４が直角となるものであり、これに伴い固定板部４８，５１が互いに直交するものとしたが、この角部用外装金物４１の固定板部４８，５１が直交するものとして限定されるものではない。すなわち、構造物が角部において直角以外の角度をなすものである場合には、その角度に合わせて固定板部４８，５１のなす角度を適宜変えてもよい。
【００１９】
また、上記の角部用外装金物１、２１は、それぞれ固定する平面用外装金物の端部の形状に合わせて挿入部の形状を変えたものとされており、同様に、構造物の内隅に取り付けられる角部用外装金物４１の他方の挿入部４７の形状を変えた角部用外装金物６１を用いてもよい。この本発明の第４の実施の形態に係る角部用外装金物６１は、図中に二点鎖線で示す構造物６２の一方の壁面６３と他方の壁面６４とからなる角部６５近傍の外側（いわゆる出隅）に取り付けられて用いられるものであって、この角部用外装金物６１は他の平面用外装金物の端部が挿入される一方の挿入部６６及び他方の挿入部６７を備えている。この一方の挿入部６６及び他方の挿入部６７は、上記の角部用外装金物１の他方の挿入部７と同じ構成からなるものであって、この構造物６２の一方及び他方の壁面６３，６４上に平行に取り付けられる一方及び他方の固定板部６８，７１と、一端がこの一方及び他方の固定板部６８，７１の角部６５側の一端と連続して該一方及び他方の固定板部６８，７１上に向けて傾斜して起立する一方及び他方の起立板部６９，７２と、一方及び他方の起立板部６９，７２の他端と一端が連続し、他端がこの構造物６２の角部６５とは反対方向に向けて形成され、上記一方及び他方の固定板部６８，７１と平行とされてなる一方及び他方の折返板部７０，７３とから構成されている。
【００２０】
また、上記一方の挿入部６６を構成する一方の折返板部７０の他端からは、第１の外装板部７４、第２の外装板部７５、第３の外装板部７６、第４の外装板部７７及び第５の外装板部７８を介して上記他方の挿入部６７を構成する他方の折返板部７３と連続している。すなわち、この第１の外装板部７４は、一端において上記一方の折返板部７０の他端にて９０度折曲されて上記の構造物６２の一方の壁面６３及び一方の固定板部６８と鉛直とされている。また、この第１の外装板部７４の他端は、第２の外装板部７５の一端と連続し、該第２の外装板部７５が角部６５側の方向に上記構造物の一方の壁面６３、一方の固定板部６８及び一方の折返板部７０と平行となるように９０度折曲されている。また、この第２の外装板部７５の他端では、上記角部６５側から離れる向きに４５度折曲されて第３の外装板部７６の一端と連続している。また、この第３の外装板部７６の他端では、上記角部６５側から離れる向きに４５度折曲されて、上記構造物６２の他方の壁面６４、他方の固定板部７１及び他方の折返板部７３と平行とされた第４の外装板部７７の一端と連続している。そして、この第４の外装板部７７の他端では、上記構造物６２の他方の壁面６４及び他方の固定板部７１に向けて９０度折曲されてこれら他方の壁面６４及び他方の固定板部７１と鉛直となり、上記他方の折返板部７３の他端と直交して連続している。
【００２１】
なお、この角部用外装金物６１も上記の角部用外装金物１，２１及び４１と同様に、一枚の金属板を折曲して作られたものであるが、これを複数の金属板を折曲及び溶接等で継ぎ合わせて形成してもよい。また、この角部用外装金物６１は挿入部６６，６７内に他の平面用外装金物の水平部のみが挿入するものであることから、他方の起立部６９，７２の長さを短いものとし、かつ、該他方の起立部６９，７２を一方及び他方の固定板部６８，７１上に位置するように傾斜させ、一方及び他方の固定板部６８，７１と一方及び他方の折返板部７０，７３との距離を挿入する平面用外装金物の水平部の板厚とほぼ同じものとする。なお、ここで示した実施の形態に係る角部用外装金物６１は、構造物６２の壁面６３，６４が直角となるものであり、これに伴い固定板部４８，５１が互いに直交するものとしたが、この角部用外装金物６１の固定板部６８，７１が直交するものとして限定されるものではない。すなわち、構造物が角部において直角以外の角度をなすものである場合には、その角度に合わせて固定板部６８，７１のなす角度を適宜変えてもよい。
【００２２】
次に、以上に述べた角部用外装金物を構造物に取り付けて、この角部用外装金物により平面用外装金物を構造物に固定する方法について、図面を用いて説明する。図５及び図６は、構造物２の壁面３，４の角部５に角部用外装金物１を取り付け、この角部用外装金物１の挿入部６内に平面用外装金物１０１を固定する状態を示すものである。なお、ここで用いられている角部用外装金物１は上述した角部用外装金物１と同じ物である。また、平面用外装金物１０１は、水平面１０２と垂直面１０３とが交互に位置するコの字状の平面用外装金物であるが、少なくとも角部用外装金物１に挿入される側の端部には垂直面１０３が位置するものである。先ず初めに作業者は、図５に示すように角部用外装金物１の固定板部８上に釘穴１８を形成し、固定面８，１１を構造物２の壁面３，４上に載置させ、この釘穴１８を介して釘１９を壁面３に打ち込み、この角部用外装金物１を構造物２に取り付ける。なお、この図５においては、釘穴１８及び釘１９をそれぞれ１つづつ示しているが、より多くの釘穴及び釘を用いて角部用外装金物１を構造物２に取り付けるものとしても良い。すなわち、本実施例では図示を省略しているが、釘穴は固定板部１１上にも形成され、該釘穴を介した釘により該固定板部１１を壁面４上に固定している。或いは、釘，ねじ等によらず接着剤により構造物２に取り付けるものとしてもよい。
【００２３】
以上のように角部用外装金物１を構造物２の角部５上に取り付けた後、平面用外装金物１０１を角部用外装金物１を介して構造物２の壁面３上に固定する。すなわち、図５に示すように角部用外装金物１の挿入部６の側方に平面用外装金物１０１を配置し、続けて図６に示すようにこの平面用外装金物１０１を角部用外装金物１の方へと壁面３と平行に動かし、この挿入部６内に平面用外装金物１０１の端部を挿入して固定をする。このように、この角部用外装金物１を用いることにより、平面用外装金物１０１は角部用外装金物１の挿入部６内に挿入するだけで容易に構造物２の壁面３へ固定することができ、また、角部用外装金物１の取り付けの際に用いられる釘１９は上から平面用外装金物１０１が覆い、この釘１９の頭が外装金物上に露出する事がない。また、この平面用外装金物１０１を固定する際には釘を用いないことから、本発明の外装金物に被覆された構造物２の見栄えも良い物となる。また、この挿入により、この平面用外装金物１０１の端部は角部用外装金物１の挿入部６内で固定されることとなるが、特に上述したように、この挿入部６の固定板部８と折返板部１０とが、平面用外装金物１０１の垂直面１０３の長さとほぼ同じ長さで離隔するものした場合には、この固定板部８と折返板部１０との間で平面用外装金物１０１の端部が挟持され、これら角部用外装金物１と平面用外装金物１０１との固定がより確実なものとなる。
【００２４】
次に、上記の角部用外装金物１を構造物に取り付けて、上記の平面用外装金物１０１とは異なる他の形状の平面用外装金物１１１を構造物に固定する方法を説明する。図７及び図８は、構造物２の壁面３，４の角部５に角部用外装金物１を取り付け、この角部用外装金物１の挿入部７内に平面用外装金物１１１を固定する方法を示すものである。なお、ここで用いられている角部用外装金物１は上述した角部用外装金物１と同じ物であるが、図５及び図６に示す状態とは上下が反転された状態とされ、平面用外装金物１１１と向かい合う向きに挿入部７を配置している。また、平面用外装金物１１１は、基本的には先にあげた平面用外装金物１０１と同じく、水平面１１２と垂直面１１３とが交互に位置するコの字状の平面用外装金物であるが、少なくとも角部用外装金物１に挿入される側の端部には水平面１１２が位置しており、上記の平面用外装金物８１，９１における挿入部８５，９５のような挿入部が形成されてはいない。先ず初めに作業者は、図７に示すように角部用外装金物１の固定板部８上に釘穴２０を形成し、固定面８，１１を構造物２の壁面３，４上に載置させ、この釘穴２０を介して上記のものと同じ釘１９を壁面４に打ち込み、この角部用外装金物１を構造物２に取り付ける。なお、この図７においては、釘穴２０及び釘１９をそれぞれ１つづつ示しているが、より多くの釘穴及び釘を用いて角部用外装金物１を構造物２に取り付けるものとしても良い。すなわち、本実施例では図示を省略しているが、釘穴は固定板部８上にも形成され、該釘穴を介した釘により該固定板部８を壁面３上に固定している。或いは、釘，ねじ等によらず接着剤により構造物２に取り付けるものとしてもよい。
【００２５】
以上のように角部用外装金物１を構造物２の角部５上に取り付けた後、平面用外装金物１１１を角部用外装金物１を介して構造物２の壁面３上に固定する。すなわち、図７に示すように角部用外装金物１の挿入部７の側方に平面用外装金物１１１を配置し、続けて図８に示すようにこの平面用外装金物１１１を角部用外装金物１の方へと壁面４と平行に動かし、この挿入部７内に平面用外装金物１１１の端部を挿入して固定する。このように、この角部用外装金物１を用いることにより、平面用外装金物１１１は角部用外装金物１の挿入部７内に挿入するだけで容易に構造物２の壁面４へ固定することができ、また、角部用外装金物１の取り付けの際に用いられる釘１９は上から平面用外装金物１１１が覆い、この釘１９の頭が外装金物上に露出する事がない。また、この平面用外装金物１０１の固定の際には釘を用いないことから、本発明の外装金物に被覆された構造物２の見栄えも良い物となる。また、この挿入により、この平面用外装金物１１１の端部は角部用外装金物１の挿入部７内で固定されることとなるが、特に上述したように、この挿入部７の固定板部１１と折返板部１３とが、平面用外装金物１１１の水平面１１２の厚さとほぼ同じ長さで離隔するものした場合には、この固定板部１１と折返板部１３との間で平面用外装金物１１１の水平面１１２の端部が挟持され、かつ、固定板部１１と起立部１２との間で水平面１１２の最先端部が挟持され、これら角部用外装金物１と平面用外装金物１１１との固定がより確実なものとなる。
【００２６】
次に、上記の角部用外装金物４１を構造物に取り付けて、この角部用外装金物４１により平面用外装金物１２１を構造物に固定する方法について、図面を用いて説明する。図９及び図１０は、構造物４２の壁面４３，４４の角部４５に角部用外装金物４１を取り付け、この角部用外装金物４１の挿入部４６内に平面用外装金物１２１を固定する方法を示すものである。なお、ここで用いられている角部用外装金物４１は上述した角部用外装金物４１と同じ物である。また、平面用外装金物１２１は、上述した平面用外装金物１０１と同じ物であって、水平面１２２と垂直面１２３とが交互に位置するコの字状の平面用外装金物であるが、上記の平面用外装金物８１，９１とは異なり、少なくとも角部用外装金物４１に挿入される側の端部には垂直面１２３が位置しており、挿入部８５，９５のような挿入部が形成されてはいない。先ず初めに作業者は、図９に示すように角部用外装金物１の固定板部８上に釘穴５８を形成し、固定面４８，５１を構造物４２の壁面４３，４４上に載置させ、この釘穴５８を介して釘５９を壁面４３に打ち込み、この角部用外装金物４１を構造物４２に取り付ける。なお、この図９においては、釘穴５８及び釘５９をそれぞれ１つづつ示しているが、より多くの釘穴及び釘を用いて角部用外装金物４１を構造物４２に取り付けるものとしても良い。すなわち、本実施例では図示を省略しているが、釘穴は固定板部５１上にも形成され、該釘穴を介した釘により該固定板部５１を壁面４４上に固定している。或いは、釘，ねじ等によらず接着剤により構造物４２に取り付けるものとしてもよい。
【００２７】
以上のように角部用外装金物４１を構造物４２の角部４５上に取り付けた後、平面用外装金物１２１を角部用外装金物４１を介して構造物４２の壁面４３上に固定する。すなわち、図９に示すように角部用外装金物４１の挿入部４６の側方に平面用外装金物１２１を配置し、続けて図１０に示すようにこの平面用外装金物１２１を角部用外装金物１の方へと壁面４３と平行に動かし、この挿入部４６内に平面用外装金物１２１の端部を挿入して固定する。このように、この角部用外装金物４１を用いることにより、平面用外装金物１２１は角部用外装金物４１の挿入部４６内に挿入するだけで容易に構造物４２の壁面４３へ固定することができ、また、角部用外装金物４１の取り付けの際に用いられる釘５９は上から平面用外装金物１２１が覆い、この釘５９の頭が外装金物上に露出する事がない。また、この平面用外装金物１２１の固定の際には釘を用いないことから、本発明の外装金物に被覆された構造物４２の見栄えも良い物となる。また、この挿入により、この平面用外装金物１２１の端部は角部用外装金物４１の挿入部４６内で固定されることとなるが、特に上述したように、この挿入部４６の固定板部４８と折返板部５０とが、平面用外装金物１２１の垂直面１２３の長さとほぼ同じ長さで離隔するものした場合には、この固定板部４８と折返板部５０との間で平面用外装金物１２１の端部が挟持され、これら角部用外装金物４１と平面用外装金物１２１との固定がより確実なものとなる。
【００２８】
次に、上記の角部用外装金物４１を構造物に取り付けて、上記の平面用外装金物１２１とは異なる他の形状の平面用外装金物１３１を構造物に固定する方法を説明する。図１１は、構造物４２の壁面４３，４４の角部４５に角部用外装金物４１を取り付け、この角部用外装金物４１の挿入部４７内に平面用外装金物１３１を固定する方法を示すものである。なお、ここで用いられている角部用外装金物４１は上述した角部用外装金物４１と同じ物であるが、図９に示す状態とは上下が反転された状態とされ、平面用外装金物１３１と向かい合う向きに挿入部４７を配置している。また、平面用外装金物１３１は、基本的には先にあげた平面用外装金物１１１と同じく、水平面１３２と垂直面１３３とが交互に位置するコの字状の平面用外装金物であるが、少なくとも角部用外装金物４１に挿入される側の端部には、上記の平面用外装金物８１，９１における挿入部８５，９５のような挿入部は形成されておらず、水平面１３２が位置している。先ず初めに作業者は、図１１に示すように角部用外装金物４１の固定板部４８上に釘穴６０を形成し、固定面４８，５１を構造物４２の壁面４３，４４上に載置させ、この釘穴６０を介して上記のものと同じ釘５９を壁面４３に打ち込み、この角部用外装金物４１を構造物４２に取り付ける。なお、この図１１においては、釘穴６０及び釘５９をそれぞれ１つづつ示しているが、より多くの釘穴及び釘を用いて角部用外装金物４１を構造物４２に取り付けるものとしても良い。すなわち、本実施例では図示を省略しているが、釘穴は固定板部４８上にも形成され、該釘穴を介した釘により該固定板部４８を壁面４４上に固定している。或いは、釘，ねじ等によらず接着剤により構造物２に取り付けるものとしてもよい。
【００２９】
以上のように角部用外装金物４１を構造物２の角部５上に取り付けた後、平面用外装金物１３１を角部用外装金物１を介して構造物２の壁面３上に固定する。すなわち、図１１に示すように角部用外装金物４１の挿入部４７の側方に平面用外装金物１３１を配置し、続けて図１２に示すようにこの平面用外装金物１３１を角部用外装金物４１の方へと壁面４３と平行に動かし、この挿入部４７内に平面用外装金物１３１の端部を挿入して固定する。このように、この角部用外装金物４１を用いることにより、平面用外装金物１３１は角部用外装金物４１の挿入部４７内に挿入するだけで容易に構造物４２の壁面４３へ固定することができ、また、角部用外装金物４１の取り付けの際に用いられる釘５９は上から平面用外装金物１３１が覆い、この釘５９の頭が外装金物上に露出する事がない。また、この平面用外装金物１３１の固定の際には釘を用いないことから、本発明の外装金物に被覆された構造物４２の見栄えも良い物となる。また、この挿入により、この平面用外装金物１３１の端部は角部用外装金物４１の挿入部４７内で固定されることとなるが、特に上述したように、この挿入部４７の固定板部５１と折返板部５３とが、平面用外装金物１３１の水平面１３２の厚さとほぼ同じ長さで離隔するものした場合には、この固定板部５１と折返板部５３との間で平面用外装金物１３１の水平面１３２の端部が挟持され、かつ、固定板部５１と起立部５２との間で水平面１３２の最先端部が挟持され、これら角部用外装金物４１と平面用外装金物１３１との固定がより確実なものとなる。
【図面の簡単な説明】
【００３０】
【図１】本発明の第１の実施の形態に係る角部用外装金物を示す平面図である。
【図２】本発明の第２の実施の形態に係る角部用外装金物を示す平面図である。
【図３】本発明の第３の実施の形態に係る角部用外装金物を示す平面図である。
【図４】本発明の第４の実施の形態に係る角部用外装金物を示す平面図である。
【図５】本発明の第１の実施の形態に係る角部用外装金物と平面用外装金物との取り付け前の状態を示す斜視図である。
【図６】本発明の第１の実施の形態に係る角部用外装金物と平面用外装金物との取り付け後の状態を示す斜視図である。
【図７】本発明の第２の実施の形態に係る角部用外装金物と平面用外装金物との取り付け前の状態を示す斜視図である。
【図８】本発明の第２の実施の形態に係る角部用外装金物と平面用外装金物との取り付け後の状態を示す斜視図である。
【図９】本発明の第３の実施の形態に係る角部用外装金物と平面用外装金物との取り付け前の状態を示す斜視図である。
【図１０】本発明の第３の実施の形態に係る角部用外装金物と平面用外装金物との取り付け後の状態を示す斜視図である。
【図１１】本発明の第４の実施の形態に係る角部用外装金物と平面用外装金物との取り付け前の状態を示す斜視図である。
【図１２】本発明の第４の実施の形態に係る角部用外装金物と平面用外装金物との取り付け後の状態を示す斜視図である。
【符号の説明】
【００３１】
１    角部用外装金物
２    構造物
３，４    壁面
５    角部
６，７    挿入部
８，１１    固定板部
９，１２    起立板部
１０，１３    折返板部
２１    角部用外装金物
２２    構造物
２３，２４    壁面
２５    角部
２６，２７    挿入部
２８，３１    固定板部
２９，３２    起立板部
３０，３３    折返板部
４１    角部用外装金物
４２    構造物
４３，４４    壁面
４５    角部
４６，４７    挿入部
４８，５１    固定板部
４９，５２    起立板部
５０，５３    折返板部
６１    角部用外装金物
６２    構造物
６３，６４    壁面
６５    角部
６６，６７    挿入部
６８，６１    固定板部
６９，７２    起立板部
７０，７３    折返板部
１０１，１１１，１２１，１３１    平面用外装金物
【図１】
2005060993.tif 000003
【図２】
2005060993.tif 000004
【図３】
2005060993.tif 000005
【図４】
2005060993.tif 000006
【図５】
2005060993.tif 000007
【図６】
2005060993.tif 000008
【図７】
2005060993.tif 000009
【図８】
2005060993.tif 000010
【図９】
2005060993.tif 000011
【図１０】
2005060993.tif 000012
【図１１】
2005060993.tif 000013
【図１２】
2005060993.tif 000014